(57)【要約】【課題】異なるサイズをそれぞれ有する開口に取り付けられる照明装置を提供する。【解決手段】ある開口を有する天井に取り付けられる照明装置が提供される。この照明装置は、平面型の光源と、複数の基部、複数のクリッピングエレメント及び複数の第一の弾性エレメントを含む取り付けモジュールとを備える。それぞれの基部は、平面型光源上にスライド可能に配置され、基部は、平面型光源上の複数の特定の位置にそれぞれスライドし、平面型光源が天井に対して傾けられたときに開口を通過する。クリッピングエレメントは、複数の基部に移動可能にそれぞれ接続される。複数の第一の弾性エレメントのそれぞれは、対応する基部と対応するクリッピングエレメントと接続され、天井は、第一の弾性エレメントの弾性力により、クリッピングエレメントと平面型光源との間で挟まれる。【選択図】図１Ａ
2011146370.tif 000002
【特許請求の範囲】
【請求項１】
開口を有する天井に取り付けられる照明装置であって、
平面型の光源と、
取り付けモジュールとを備え、
前記取り付けモジュールは、
それぞれの基部が前記平面型の光源上にスライド可能に配置される複数の基部であって、前記平面型の光源上の複数の特定の位置にそれぞれスライドし、前記平面型の光源が前記天井に対して傾けられたときに前記開口を通過する前記複数の基部と、
前記複数の基部に移動可能にそれぞれ接続される複数のクリッピングエレメントと、
それぞれが対応する基部と対応するクリッピングエレメントと接続される複数の第一の弾性エレメントとを有し、
前記天井は、前記第一の弾性エレメントの弾性力により、前記クリッピングエレメントと前記平面型の光源との間で挟まれる、
ことを特徴とする照明装置。
【請求項２】
前記取り付けモジュールは、
前記平面型の光源に固定される複数のスライディングトラックと、
前記複数の基部のそれぞれ固定され、前記複数のトラックにそれぞれ結合される複数のスライディングブロックと、
を更に有する請求項１記載の照明装置。
【請求項３】
前記複数の基部のそれぞれと、対応するスライディングブロックとは統合されたユニットとして形成される、
請求項２記載の照明装置。
【請求項４】
前記スライディングブロックのそれぞれは、少なくとも１つの位置合わせ用のホールを有し、
前記取り付けモジュールは、
前記スライディングトラックに固定され、案内用のホールを有するガイディングエレメントと、
前記スライディングブロックと前記スライディングトラックとの間の相対的な位置を固定するため、前記案内用のホールと前記位置合わせ用のホールを貫通するポジショニングエレメントと、
前記ガイディングエレメントと前記ポジショニングエレメントとに接続される第二の弾性エレメントとを更に有し、
前記ポジショニングエレメントは、前記スライディングブロックから分離されるため、前記第二の弾性エレメントの弾性力に対抗して前記案内用のホールに沿ってスライドする、
請求項２記載の照明装置。
【請求項５】
前記第二の弾性エレメントは、コイルスプリングである、
請求項４記載の照明装置。
【請求項６】
前記複数のスライディングトラックは、互いに重ねられる、
請求項２記載の照明装置。
【請求項７】
前記第一の弾性エレメントのそれぞれと、対応するクリッピングエレメントとは、トーションバネを形成する、
請求項１記載の照明装置。
【発明の詳細な説明】
【技術分野】
【０００１】
本発明は、発光デバイスに関する。より詳細には、本発明は、照明装置に関する。
【背景技術】
【０００２】
蛍光灯及び白熱灯は、一般に使用されている照明装置である。発光ダイオード（LED）の発光効率は向上し続けるので、LEDは、照明用に使用される蛍光灯及び白熱灯を徐々に置き換えつつある。従来の電球に比較して、LEDは、小型、長寿命、低電圧/電流から導出が可能なこと、壊れにくいこと、水銀を使用しないこと、好ましい発光効率（電力節約）等のような大きな利点を有する。
【０００３】
室内照明用の照明装置は、照明装置に設けられるトーションバネの力により建物における固定端（たとえば天井）に通常固定される。特に、照明装置は、たとえば開口を有する天井に固定され、この場合、トーションバネは開口の周辺に位置され、これにより、天井は、トーションバネと照明装置の外郭との間で挟むことができる。一般に、トーションバネは、照明装置が特定のサイズをもつ開口を有する天井に取り付けられることにのみ適するように、照明装置の特定の位置で固定される。
【発明の概要】
【発明が解決しようとする課題】
【０００４】
本発明の目的は、異なるサイズをそれぞれ有する開口に取り付けられる照明装置を提供することにある。
【０００５】
本発明の他の目的と利点については、本発明に開示される技術的特徴から更なる理解を得ることができる。
【課題を解決するための手段】
【０００６】
前述の一又は部分又は全部の目的若しくは他の目的を達成するために、本発明の一実施例において、天井に取り付けられる照明装置を提供する。天井は開口を有する。この照明装置は、平面の光源及び取り付けモジュールを含む。取り付けモジュールは、複数の基部、複数のクリッピングエレメント及び複数の第一の弾性エレメントを含む。それぞれの基部は、平面の光源が天井に対して傾けられたとき、平面の光源にスライド可能に配置され、基部は、平面の光源上の複数の特定の位置にそれぞれスライドし、開口を通過する。クリッピングエレメントは、それぞれ、基部に移動可能に接続される。それぞれの第一の弾性エレメントは、対応する基部及び対応するクリッピングエレメントと接続され、第一の弾性エレメントの弾性力により、クリッピングエレメントと平面光源との間で挟まれる。
【発明の効果】
【０００７】
本発明の実施例による光源装置は、少なくとも、以下の一つの利点を有する。本発明の実施例による基部は、平面光源上にスライド可能に配置され、クリッピングエレメントは、それぞれ、基部に移動可能に接続され、それぞれの第一の弾性エレメントは、対応する基部及び対応するクリッピングエレメントに接続される。クリッピングエレメント及び第一の弾性エレメントは、平面光源上の特定の位置に移動可能であり、これにより、様々なサイズをもつ開口を有する天井は、第一の弾性エレメントの弾性力により、クリッピングエレメントと平面の光源との間で挟まれる。したがって、照明装置の適用性が増加される。
【０００８】
本発明の他の目的、特徴及び利点は、本発明の実施の形態により開示される更なる技術的特徴から更に理解され、本発明を実現するのに適した最良の形態の例示により、本発明の好適な実施の形態が図示及び記載される。
【図面の簡単な説明】
【０００９】
添付図面は、本発明の更なる理解を提供するために含まれ、本明細書に盛り込まれ、本明細書の一部を構成する。図面は、本発明の実施の形態を例示し、説明と共に、本発明の原理を説明する役割を果たす。
【図１Ａ】本発明の一実施例による照明装置を示す概略図である。
【図１Ｂ】図１Ａの照明装置の部分的な構造を示す概略図である。
【図１Ｃ】図１Ａの照明装置を示す断面図である。
【図２Ａ】平面光源に対して相対的にスライドする図１の基部を示す概略図である。
【図２Ｂ】図２Ａの照明装置の部分的な構造を示す概略図である。
【図２Ｃ】図２Ａの照明装置を示す断面図である。
【発明を実施するための形態】
【００１０】
次に、添付した図面を参照しながら、本発明の好適な実施形態を詳細に説明する。
【００１１】
なお、次の各実施例の説明は、添付した図面を参照して行われたものであり、本発明の実施可能な特定の実施例を例示するために用いられる。また、本発明に言及した方向の用語、例えば、上、下、前、後、左、右などは、添付した図面の方向を参考するためのもののみである。よって、以下に使用された方向の用語は、説明のために用いられ、本発明を限定するためのものでない。
【００１２】
図１Ａは、本発明の一実施例による照明装置を示す概略図である。図１Ｂは、図１Ａの照明装置の部分的な構造を示す概略図である。図１Ｃは、図１Ａの照明装置を示す断面図である。図１Ａ〜図１Ｃを参照して、本実施例の照明装置１００は、平面光源１１０及び取り付けモジュール１２０を含む。取り付けモジュール１２０は、複数の基部１２２（２つが示される）、複数のクリッピングエレメント１２４（２つが示される）及び複数の第一の弾性エレメント１２６（２つが示される）を含む。本実施例の平面光源１１０は、たとえば発光ダイオード（LED）の光源である。
【００１３】
それぞれの基部１２２は、図１Ａに示される方向Ｄ１に沿って平面光源１１０上でスライド可能に配置され、基部１２２は、平面光源１１０上の特定の位置Ｐ１及びＰ２にそれぞれスライドし、平面光源１１０が、天井５０（図１Ｃに示される）に対して傾けられたとき、天井５０の開口５２を通過する。クリッピングエレメント１２４は、基部１２２に移動可能にそれぞれ接続される。それぞれの第一の弾性エレメント１２６は、対応する基部１２２及び対応するクリッピングエレメント１２４に接続され、天井５０は、第一の弾性エレメント１２４の弾性力により、クリッピングエレメント１２４と平面光源１１０との間で挟まれる。本実施例では、第一の弾性エレメント１２６と対応するクリッピングエレメント１２４のそれぞれは、トーションバネを形成する。
【００１４】
図２Ａは、平面光源に対して相対的にスライドする図１の基部を示す概略図である。図２Ｂは、図２Ａの照明装置の部分的な断面図を示す概略図である。図２Ｃは、図２Ａの照明装置を示す断面図である。基部１２２、クリッピングエレメント１２４及び第一の弾性エレメント１２６は、特定の位置Ｐ１及びＰ２（図１Ａ〜図１Ｃに示されるような）から特定の位置Ｐ３及びＰ４（図２Ａ〜図２Ｃに示されるような）に、平面光源１１０に対して相対的にスライドすることができ、これにより、図１Ｃに示される開口５２よりも小さい開口６２（図２Ｃに示される）をもつ天井６０は、第一の弾性エレメント１２６の弾性力により、クリッピングエレメント１２４と平面光源１１０との間で挟まれる。
【００１５】
したがって、クリッピングエレメント１２４は、図１Ａに示される特定の位置Ｐ１及びＰ２又は図２Ａ〜図２Ｃに示される特定の位置Ｐ３及びＰ４のような特定の位置にスライドして、特定のサイズを有する開口をもつ天井を挟むことができる。言い換えれば、本実施例の照明装置１００は、クリッピングエレメント１２４を平面光源１１０上の異なる位置にスライドすることで、異なるサイズを有する（図１Ｃに示される開口５２又は図２Ｃに示される開口６２のような）開口に取り付けるのに適する。
【００１６】
特に、取り付けモジュール１２０は、複数のスライディングトラック１２８（２つが示される）及び複数のスライディングブロック１２１（２つが示される）を更に有する。スライディングトラック１２８は、平面光源１１０に固定される。スライディングブロック１２１は、基部１２２にそれぞれ固定され、図１Ａに示される方向Ｄ１に沿ってスライディングトラック１２８でスライド可能に配置される。スライディングブロック１２１のそれぞれは、対応するスライディングトラック１２８に対して相対的にスライドし、平面光源１１０に対して相対的にスライドさせるため、対応する基部１２２、対応するクリッピングエレメント１２４及び対応する第一の弾性エレメント１２６を移動させる。本実施例では、基部１２２のそれぞれと、対応するスライディングブロック１２１とは、たとえば、統合されたユニットとして形成される。
【００１７】
さらに、図１Ｂ〜図１Ｃを参照して、それぞれのスライディングブロック１２１は、少なくとも１つの位置合わせ用のホール１２１ａ（４つが示される）を有し、取り付けモジュール１２０は、ガイディングエレメント１２３、ポジショニングエレメント１２５及び第二の弾性エレメント１２７を更に含む。ガイディングエレメント１２３は、スライディングトラック１２８に固定され、案内用のホール１２３ａを有する。ポジショニングエレメント１２５は、案内用のホール１２３ａを貫通し、２つの位置合わせ用のホール１２１ａは、スライディングブロック１２１とスライディングトラック１２８との間の相対的な位置を固定するため、２つのスライディングブロック１２１にそれぞれ属する。第二の弾性エレメント１２７は、ガイディングエレメント１２３及びポジショニングエレメント１２５と接続され、ポジショニングエレメント１２５は、第二の弾性エレメント１２７の弾性力に対抗して、スライディングブロック１２１から分離するために案内用のホール１２３ａに沿ってスライドすることができる。
【００１８】
このように、スライディングブロック１２１は、ポジショニングエレメント１２５とスライディングブロック１２１との間の構造上の干渉により、図１Ａ〜図１Ｃに示されるか又は図２Ａ〜図２Ｃに示される特定の位置に位置合わせすることができる。加えて、ユーザが第二の弾性エレメント１２７の弾性力に対抗して、ポジショニングエレメント１２５がスライディングブロック１２１から分離されるように移動するために（分離状況は図示されない）、図１Ｃに示される方向Ｄ２に沿ってポジショニングエレメント１２５を引っ張るとき、ユーザは、スライディングブロック１２１に力を加えて、スライディングトラック１２８に対して相対的にスライドさせるためにスライディングブロック１２１を移動させることができる。スライディングブロック１２１が適切な位置に移動された後、ユーザは、ポジショニングエレメント１２５を解放し、ポジショニングエレメント１２５は、第二の弾性エレメント１２７の弾性力により、図１Ｃに示される方向Ｄ３に沿って移動し、これにより、ポジショニングエレメント１２５は貫通し、２つのポジショニングホール１２１ａは、スライディングブロック１２１とスライディングトラック１２８との間の相対的な位置を固定する２つのスライディングブロック１２１に属する。したがって、平面光源１１０上のスライディングブロック１２１の位置を調節し、その後、平面光源１１０上のスライディングブロック１２１を固定することは都合がよい。
【００１９】
本実施例では、第二の弾性エレメント１２７は、たとえばコイルスプリングであり、ポジショニングスプリングは、たとえば図示されるスクリュー及び位置合わせピンから構成される。さらに、本実施例のスライディングトラック１２８は、平面光源１１０がより大きな配置領域を有するように互いに重ねられる。
【００２０】
以上述べたところを総合すれば、本発明の実施例は、以下の効果の少なくとも一つを達成することができる。本実施例では、基部は、平面光源上にスライド可能に配置され、クリッピングエレメントは、それぞれ基部に移動可能に接続され、それぞれの第一の弾性エレメントは、対応する基部及び対応するクリッピングエレメントと接続される。クリッピングエレメント及び第一の弾性エレメントは、特定のサイズを持つ開口を有する天井が、第一の弾性エレメントの弾性力によりクリッピングエレメントと平面光源との間で挟まれるように、平面光源上の特定の位置に移動可能である。したがって、照明装置の適用性が増加される。さらに、基部を移動可能なスライディングブロックは、ポジショニングエレメントにより特定の位置で位置合わせすることができる。ポジショニングエレメントがスライディングブロックから分離されたとき、スライディングブロックの位置が調節され、ポジショニングエレメントは、第二の弾性エレメントの弾性力により、スライディングブロックを位置合わせを回復することができる。したがって、この照明装置は、調節及び取り付けに便利である。
【００２１】
本発明は、前述した好適な実施例に基づいて以上のように開示されたが、前述した好適な実施例は、本発明を限定するためのものでなく、当業者は、本発明の精神と範囲を離脱しない限り、本発明に対して些細な変更と潤色を行うことができるので、本発明の保護範囲は、添付した特許請求の範囲に定まったものを基準とする。また、本発明の何れの実施例又は特許請求の範囲は、本発明に開示された全ての目的又は利点又は特徴を達成する必要がない。また、要約の部分と発明の名称は、文献の検索を助けるためのみのものであり、本発明の権利範囲を限定するものでない。
【符号の説明】
【００２２】
１００：照明装置
１１０：平面光源
１２０：取り付けモジュール
１２２：基部
１２４：クリッピングエレメント
１２６：第一の弾性エレメント
【図１Ａ】
2011146370.tif 000003
【図１Ｂ】
2011146370.tif 000004
【図１Ｃ】
2011146370.tif 000005
【図２Ａ】
2011146370.tif 000006
【図２Ｂ】
2011146370.tif 000007
【図２Ｃ】
2011146370.tif 000008